(57)【要約】ＵＥにより報告されるサウンディング参照信号（ＳＲＳ）の切替え能力に関する方法、装置、およびコンピュータソフトウェアが提供される。ある方法は、基地局から、ユーザ機器のサウンディング参照信号（ＳＲＳ）切替え能力に関するリクエストであって、前記ユーザ機器によってＳＲＳ伝送用に使用可能なセルのリストを含むリクエストを受信することと、前記ユーザ機器において、前記使用可能なセルのリストに基づいて前記ユーザ機器の前記ＳＲＳ切替え能力を判定することと、前記ユーザ機器から前記基地局へと、前記ユーザ機器の前記ＳＲＳ切替え能力の標示を送信することと、を含んでもよい。【選択図】図３
2019514263.tif 000002
【特許請求の範囲】
【請求項１】
基地局から、ユーザ機器のサウンディング参照信号（ＳＲＳ）切替え能力に関するリクエストであって、前記ユーザ機器によってＳＲＳ伝送用に使用可能なセルのリストを含むリクエストを受信することと、
前記ユーザ機器において、前記使用可能なセルのリストに基づいて前記ユーザ機器の前記ＳＲＳ切替え能力を判定することと、
前記ユーザ機器から前記基地局へと、前記ユーザ機器の前記ＳＲＳ切替え能力の標示を送信することと、
を含む方法。
【請求項２】
前記ＳＲＳ切替え能力の前記標示は、前記リスト内の各セルに対するＳＲＳ切替え能力情報を含む、請求項１に記載の方法。
【請求項３】
前記ＳＲＳ切替え能力情報は、前記ユーザ機器が前記リスト内の所与のセルに対する切替えが可能かを示す少なくとも１つのパラメータを含む、請求項１または２に記載の方法。
【請求項４】
前記リスト内の各セルについて、前記ＳＲＳ切替え能力情報は、
前記ユーザ機器の各サービングセルについての、アップリンク伝送の中断時間と、ダウンリンク受信の中断時間であって、少なくとも前記リスト内の前記所与のセルについての切替え時間およびＳＲＳ伝送時間を含む中断時間と、
前記リスト内の前記所与のセルと各サービングセルとのダウンリンクタイミングの差と、
を含む、請求項１から３のいずれかに記載の方法。
【請求項５】
前記ＳＲＳ切替え能力の前記標示は、
前記リストからの複数のセルのうちの、前記ユーザ機器がＳＲＳ切替え用に対応可能な少なくとも１つのグループと、
前記少なくとも１つのグループにおける各セルまたは前記少なくとも１つのグループにおける各帯域の識別子と、
を含む、請求項１に記載の方法。
【請求項６】
前記標示は第１グループのセルと第２グループのセルとを含み、
前記第１グループにおけるセル間のＳＲＳ切替えが、第１グループのセルと第２グループのセルとの間のＳＲＳ切替えよりも、前記ユーザ機器のサービングセルに対する影響が大きい、請求項５に記載の方法。
【請求項７】
前記前記ユーザ機器の前記ＳＲＳ切替え能力に応じて、少なくとも１つのセルに対するＳＲＳ伝送設定を受信することと、
前記受信した前記ＳＲＳ伝送設定に応じてサウンディング参照信号を送信することと、
をさらに含む、請求項１から６のいずれかに記載の方法。
【請求項８】
基地局から、ユーザ機器のサウンディング参照信号（ＳＲＳ）切替え能力に関するリクエストであって、前記ユーザ機器によってＳＲＳ伝送用に使用可能なセルのリストを含むリクエストを受信する手段と、
前記使用可能なセルのリストに基づいて前記ユーザ機器の前記ＳＲＳ切替え能力を判定する手段と、
前記基地局へと、前記ユーザ機器の前記ＳＲＳ切替え能力の標示を送信する手段と、
を備える装置。
【請求項９】
前記ＳＲＳ切替え能力の前記標示は、前記リスト内の各セルに対するＳＲＳ切替え能力情報を含む、請求項８に記載の装置。
【請求項１０】
前記ＳＲＳ切替え能力情報は、前記ユーザ機器が前記リスト内の所与のセルに対する切替えが可能かを示す少なくとも１つのパラメータを含む、請求項８または９に記載の装置。
【請求項１１】
前記リスト内の各セルについて、前記ＳＲＳ切替え能力情報は、
前記ユーザ機器の各サービングセルについての、アップリンク伝送の中断時間と、ダウンリンク受信の中断時間であって、少なくとも前記リスト内の前記所与のセルについての切替え時間およびＳＲＳ伝送時間を含む中断時間と、
前記リスト内の前記所与のセルと各サービングセルとのダウンリンクタイミングの差と、
をさらに含む、請求項８から１０のいずれかに記載の装置。
【請求項１２】
前記ＳＲＳ切替え能力の前記標示は、
前記リストからの複数のセルのうちの、前記ユーザ機器がＳＲＳ切替え用に対応可能な少なくとも１つのグループと、
前記少なくとも１つのグループにおける各セルまたは前記少なくとも１つのグループにおける各帯域の識別子と、
を含む、請求項９に記載の装置。
【請求項１３】
前記標示は第１グループのセルと第２グループのセルとを含み、
前記第１グループにおけるセル間のＳＲＳ切替えが、第１グループのセルと第２グループのセルとの間のＳＲＳ切替えよりも、前記ユーザ機器のサービングセルに対する影響が大きい、
請求項１２に記載の装置。
【請求項１４】
基地局によって、ユーザ機器のサウンディング参照信号（ＳＲＳ）切替え能力に関するリクエストであって、前記ユーザ機器によってＳＲＳ伝送用に使用可能なセルのリストを含むリクエストを送信することと、
前記基地局において、前記リクエストに応じて、前記セルのリストに対する前記ユーザ機器の前記ＳＲＳ切替え能力の標示を受信することと、
少なくとも前記ユーザ機器の前記ＳＲＳ切替え能力に基づいて、前記基地局から、前記ユーザ機器への伝送リソースの標示を含むＳＲＳ伝送の設定を送信することと、
を含む方法。
【請求項１５】
前記ＳＲＳ切替え能力の前記標示は、前記リスト内の各セルに対するＳＲＳ切替え能力情報を含み、
前記ＳＲＳ切替え能力情報は、前記ユーザ機器が前記リスト内の所与のセルに対する切り替えが可能かを示す少なくとも１つのパラメータを含む、請求項１４に記載の方法。
【請求項１６】
前記リスト内の各セルについて、前記ＳＲＳ切替え能力情報は、
前記ユーザ機器の各サービングセルについての、アップリンク伝送の中断時間と、ダウンリンク受信の中断時間であって、少なくとも前記リスト内の前記所与のセルについての切替え時間およびＳＲＳ伝送時間を含む中断時間と、
前記リスト内の前記所与のセルと各サービングセルとのダウンリンクタイミングの差と、
をさらに含む、請求項１４または１５に記載の方法。
【請求項１７】
前記標示は第１グループのセルと第２グループのセルとを含み、
前記第１グループにおけるセル間のＳＲＳ切替えが、第１グループのセルと第２グループのセルとの間のＳＲＳ切替えよりも、前記ユーザ機器のサービングセルに対する影響が大きい、
請求項１４から１６のいずれかに記載の方法。
【請求項１８】
基地局によって、ユーザ機器のサウンディング参照信号（ＳＲＳ）切替え能力に関するリクエストであって、前記ユーザ機器によってＳＲＳ伝送用に使用可能なセルのリストを含むリクエストを送信する手段と、
前記リクエストに応じて、前記セルのリストに対する前記ユーザ機器の前記ＳＲＳ切替え能力の標示を受信する手段と、
少なくとも前記ユーザ機器の前記ＳＲＳ切替え能力に基づいて、前記ユーザ機器への伝送リソースの標示を含むＳＲＳ伝送の設定を送信する手段と、
を備える、装置。
【請求項１９】
装置の処理手段に実行されると、前記装置に、請求項１から７のいずれかに記載の方法を遂行させるように構成されるプログラムコードを含む、コンピュータプログラム。
【請求項２０】
装置の処理手段に実行されると、前記装置に、請求項１４から１７のいずれかに記載の方法を遂行させるように構成されるプログラムコードを含む、コンピュータプログラム。
【発明の詳細な説明】
【技術分野】
【０００１】
本発明は、概して無線通信に関し、特にＵＥにより報告されるサウンディング参照信号（Sounding Reference Signal: ＳＲＳ）の切替え能力に関する。
【背景】
【０００２】
本項は、以下に記載される本発明に背景や文脈を添えることを意図したものである。本項における説明は、特許化可能であって、必ずしも過去に概念化、実施、または記載されていないものを含みうる。したがって、別途明示しないかぎり、本項に記載される事項は、本願における説明に対する先行技術ではなく、本項に含めることで先行技術として認められるものではない。
【０００３】
一般的に、ロング・ターム・エボリューション（ＬＴＥ）ネットワーク等の無線ネットワークにおけるユーザ機器（ＵＥ）は、基地局にサウンディング参照信号を送信できる。これにより、基地局は広い帯域幅のアップリンクチャネルリンク品質を推定できる。この情報は、基地局によるユーザ機器に対するアップリンク周波数選択スケジューリングや、時分割二重化（Time Division Duplexing：ＴＤＤ）システムのチャネル相互依存性を考慮したダウンリンクスケジューリング用のビームフォーミングに寄与しうる。
【摘要】
【０００４】
本項は例を示すものであって、限定することを意図したものではない。
【０００５】
実施形態の一例では方法が開示され、該方法は、基地局から、ユーザ機器のサウンディング参照信号（ＳＲＳ）切替え能力に関するリクエストであって、前記ユーザ機器によってＳＲＳ伝送用に使用可能なセルのリストを含むリクエストを受信することと、前記ユーザ機器において、前記使用可能なセルのリストに基づいて前記ユーザ機器の前記ＳＲＳ切替え能力を判定することと、前記ユーザ機器から前記基地局へと、前記ユーザ機器の前記ＳＲＳ切替え能力の標示を送信することと、を含む。
【０００６】
実施形態の別の例としてコンピュータプログラムが挙げられ、該コンピュータプログラムは、プロセッサ上で実行されると前段落の方法を実施するコードを含む。このコンピュータプログラムは、コンピュータとともに使用するために内部に実装されたコンピュータプログラムコードを有するコンピュータ可読媒体を備えるコンピュータプログラムプロダクトである。
【０００７】
一例としての装置は、１つ以上のプロセッサと、コンピュータプログラムコードを含む１つ以上のメモリと、を含む。前記１つ以上のメモリおよび前記コンピュータプログラムコードは、前記１つ以上のプロセッサによって、少なくとも以下の処理、すなわち、基地局から、ユーザ機器のサウンディング参照信号（ＳＲＳ）切替え能力に関するリクエストであって、前記ユーザ機器によってＳＲＳ伝送用に使用可能なセルのリストを含むリクエストを受信することと、前記ユーザ機器において、前記使用可能なセルのリストに基づいて前記ユーザ機器の前記ＳＲＳ切替え能力を判定することと、前記ユーザ機器から前記基地局へと、前記ユーザ機器の前記ＳＲＳ切替え能力の標示を送信することと、を前記装置に実施させるように構成される。
【０００８】
実施形態の別の例では、装置は、ユーザ機器のサウンディング参照信号（ＳＲＳ）切替え能力に関するリクエストであって、前記ユーザ機器によってＳＲＳ伝送用に使用可能なセルのリストを含むリクエストを、基地局から受信する手段と、前記使用可能なセルのリストに基づいて前記ユーザ機器の前記ＳＲＳ切替え能力を判定する手段と、前記ユーザ機器の前記ＳＲＳ切替え能力の標示を前記基地局へ送信する手段と、を備える。
【０００９】
実施形態の一例では方法が開示され、該方法は、基地局によって、ユーザ機器のサウンディング参照信号（ＳＲＳ）切替え能力に関するリクエストであって、前記ユーザ機器によってＳＲＳ伝送用に使用可能なセルのリストを含むリクエストを送信することと、前記基地局において、前記リクエストに応じて、前記セルのリストに対する前記ユーザ機器の前記ＳＲＳ切替え能力の標示を受信することと、少なくとも前記ユーザ機器の前記ＳＲＳ切替え能力に基づいて、前記基地局から、前記ユーザ機器への伝送リソースの標示を含むＳＲＳ伝送の設定を送信することと、を含む。
【００１０】
実施形態のさらに別の例としてコンピュータプログラムが挙げられ、該コンピュータプログラムは、プロセッサ上で実行されると前段落の方法を実施するコードを含む。このコンピュータプログラムは、コンピュータとともに使用するために内部に実装されたコンピュータプログラムコードを有するコンピュータ可読媒体を備えるコンピュータプログラムプロダクトである。
【００１１】
一例としての装置は、１つ以上のプロセッサと、コンピュータプログラムコードを含む１つ以上のメモリと、を含む。前記１つ以上のメモリおよび前記コンピュータプログラムコードは、前記１つ以上のプロセッサによって、基地局によって、ユーザ機器のサウンディング参照信号（ＳＲＳ）切替え能力に関するリクエストであって、前記ユーザ機器によってＳＲＳ伝送用に使用可能なセルのリストを含むリクエストを送信することと、前記基地局において、前記リクエストに応じて、前記セルのリストに対する前記ユーザ機器の前記ＳＲＳ切替え能力の標示を受信することと、少なくとも前記ユーザ機器の前記ＳＲＳ切替え能力に基づいて、前記基地局から、前記ユーザ機器への伝送リソースの標示を含むＳＲＳ伝送の設定を送信することと、を前記装置に実施させるように構成される。
【００１２】
実施形態の別の例では、装置は、ユーザ機器のサウンディング参照信号（ＳＲＳ）切替え能力に関するリクエストであって、前記ユーザ機器によってＳＲＳ伝送用に使用可能なセルのリストを含むリクエストを基地局から送信する手段と、前記基地局において、前記リクエストに応じて、前記セルのリストに対する前記ユーザ機器の前記ＳＲＳ切替え能力の標示を受信する手段と、少なくとも前記ユーザ機器の前記ＳＲＳ切替え能力に基づいて、前記ユーザ機器への伝送リソースの標示を含むＳＲＳ伝送の設定を、前記基地局から送信する手段と、を含む。
【図面の簡単な説明】
【００１３】
【図１】図１は、例示的実施形態を採用可能な、実施可能で非限定的な例示的システムの１つを示すブロック図である。
【図２Ａ】図２Ａは、例示的実施形態に係るキャリアアグリゲーション対応ユーザ機器の実施例を示す。
【図２Ｂ】図２Ｂは、例示的実施形態に係るキャリアアグリゲーション対応ユーザ機器の実施例を示す。
【図３】図３は、ＵＥにより報告されるサウンディング参照信号（ＳＲＳ）の切替え能力に関する論理フローチャートである。この図により、例示的方法の動作、コンピュータ可読メモリに実装されたコンピュータプログラム命令の実行結果、ハードウェアで実現されるロジックによって実施される機能、および／または例示的実施形態に係る機能を実施するための相互接続手段が示される。
【図４】図４は、ＵＥにより報告されるサウンディング参照信号（ＳＲＳ）の切替え能力に関する論理フローチャートである。この図により、例示的方法の動作、コンピュータ可読メモリに実装されたコンピュータプログラム命令の実行結果、ハードウェアで実現されるロジックによって実施される機能、および／または例示的実施形態に係る機能を実施するための相互接続手段が示される。
【詳細説明】
【００１４】
本明細書において使用される用語「例示的」とは、「例、実例、説明例となる」ことを意味する。「例示的」と示された本明細書に記載のいずれの実施形態も、その他の実施形態と比較して必ずしも好適な、または有利なものとして解釈されるものではない。この詳細な説明に記載されたすべての実施形態は、当業者が本発明を製造または使用することができるように提供された例示的実施形態であり、請求項に定義された本発明の範囲を限定するものではない。
【００１５】
本明細書に記載の例示的実施形態では、ＵＥにより報告されるＳＲＳの切替え能力についての技術を説明する。これら技術について、例示的実施形態を利用可能なシステムを説明した後にさらに説明を加える。
【００１６】
図１は、例示的実施形態が実現可能な、実施可能で非限定的な例示的システムのブロック図である。図１において、ユーザ機器（ＵＥ）１１０は無線ネットワーク１００と無線通信中である。ＵＥ１１０は、１つ以上のプロセッサ１２０と、１つ以上のメモリ１２５と、１つ以上の送受信機１３０とを備え、これらは１つ以上のバス１２７を介して相互接続される。１つ以上の送受信機１３０はそれぞれ、受信機（Ｒｘ）１３２と、送信機（Ｔｘ）１３３とを備える。１つ以上のバス１２７は、アドレスバス、データバス、またはコントロールバスであってもよく、任意の相互接続機構を含んでもよい。当該機構としては、マザーボードまたは集積回路上の一連の回線、光ファイバーまたはその他光学通信機器等が挙げられる。１つ以上の送受信機１３０は、１つ以上のアンテナ１２８に接続される。１つ以上のメモリ１２５はコンピュータプログラムコード１２３を含む。ＵＥ１１０は、ＳＲＳ制御モジュール１４０を含む。ＳＲＳ制御モジュール１４０は、モジュール部１４０−１および／または１４０−２の一方または両方を含み、これらは多様な方法で実現できる。ＳＲＳ制御モジュール１４０は、ＳＲＳ制御モジュール１４０−１としてハードウェアで実現できる。すなわち、１つ以上のプロセッサ１２０の一部として実現できる。ＳＲＳ制御モジュール１４０−１は、集積回路として実現されてもよいし、プログラマブルゲートアレイ等のその他ハードウェアにより実現されてもよい。別の例では、ＳＲＳ制御モジュール１４０は、コンピュータプログラムコード１２３として実現され、１つ以上のプロセッサ１２０により実行されるＳＲＳ制御モジュール１４０−２として実現されてもよい。例えば、１つ以上のメモリ１２５およびコンピュータプログラムコード１２３は、１つ以上のプロセッサ１２０によって、本明細書に記載の動作の１つ以上をユーザ機器１１０に実施させるように構成されてもよい。ＵＥ１１０は、無線リンク１１１を介してｅＮＢ１７０と通信する。
【００１７】
ｅＮＢ１７０は、ＵＥ１１０等の無線デバイスから、無線ネットワーク１００にアクセスできるようにする基地局である。ｅＮＢ１７０は、１つ以上のプロセッサ１５２と、１つ以上のメモリ１５５と、１つ以上のネットワークインタフェース（Ｎ／Ｗ  Ｉ／Ｆ）１６１と、１つ以上の送受信機１６０とを備え、これらは１つ以上のバス１５７を介して相互接続される。１つ以上の送受信機１６０はそれぞれ、受信機（Ｒｘ）１６２と送信機（Ｔｘ）１６３とを備える。１つ以上の送受信機１６０は１つ以上のアンテナ１５８に接続される。１つ以上のメモリ１５５はコンピュータプログラムコード１５３を含む。ｅＮＢ１７０は、ＳＲＳ設定モジュール１５０を含む。ＳＲＳ設定モジュール１５０は、モジュール部１５０−１または１５０−２の一方または両方を含み、これらは多様な方法で実現できる。ＳＲＳ設定モジュール１５０は、ＳＲＳ設定モジュール１５０−１としてハードウェア内で実現されてもよい。すなわち、１つ以上のプロセッサ１５２の一部として実現されてもよい。ＳＲＳ設定モジュール１５０−１は、集積回路として実現されてもよいし、プログラマブルゲートアレイ等のその他ハードウェアにより実現されてもよい。別の例では、ＳＲＳ設定モジュール１５０は、コンピュータプログラムコード１５３として実現され、１つ以上のプロセッサ１５２により実行されるＳＲＳ設定モジュール１５０−２として実現されてもよい。例えば、１つ以上のメモリ１５５およびコンピュータプログラムコード１５３は、１つ以上のプロセッサ１５２によって、本明細書に記載の動作の１つ以上をｅＮＢ１７０に実施させるように構成される。１つ以上のネットワークインタフェース１６１は、リンク１７６および１３１を介する等、ネットワークを介して通信を行う。２つ以上のｅＮＢ１７０は、例えば、リンク１７６を使用して通信を行う。リンク１７６は有線、無線、またはその両方であってもよく、例えば、Ｘ２インタフェースを実現してもよい。
【００１８】
１つ以上のバス１５７は、アドレスバス、データバス、またはコントロールバスであってもよく、任意の相互接続機構を含んでもよい。当該機構としては、マザーボードまたは集積回路上の一連の回線、光ファイバーまたはその他光学通信機器、無線チャネル等が挙げられる。例えば、１つ以上の送受信機１６０はリモートラジオヘッド（ＲＲＨ）１９５として実現されてもよい。この場合、ｅＮＢ１７０のその他要素はＲＲＨから離れた位置に物理的に配置され、１つ以上のバス１５７の一部は、ｅＮＢ１７０の当該その他要素をＲＲＨ１９５に接続する光ファイバーケーブルとして実現されてもよい。
【００１９】
無線ネットワーク１００は、ＭＭＥ／ＳＧＷ機能を有し、電話回線および／またはデータ通信ネットワーク（例えば、インターネット）のような別のネットワークへの接続を可能としうるネットワーク制御要素（ＮＣＥ）１９０を備えてもよい。ｅＮＢ１７０は、リンク１３１を介してＮＣＥ１９０に接続される。リンク１３１は、例えばＳ１インタフェースとして実現されてもよい。ＮＣＥ１９０は、１つ以上のプロセッサ１７５と、１つ以上のメモリ１７１と、１つ以上のネットワークインタフェース（Ｎ／Ｗ  Ｉ／Ｆ）１８０とを備え、これらは１つ以上のバス１８５を介して相互接続される。１つ以上のメモリ１７１は、コンピュータプログラムコード１７３を含む。１つ以上のメモリ１７１およびコンピュータプログラムコード１７３は、１つ以上のプロセッサ１７５によって、１つ以上の動作をＮＣＥ１９０に実施させるように構成される。
【００２０】
無線ネットワーク１００は、ネットワーク仮想化を実現してもよい。すなわち、ハードウェアおよびソフトウェアのネットワークリソースと、ネットワーク機能を組み合わせて、単一のソフトウェア型管理エンティティである仮想ネットワークを実現するプロセスである。ネットワーク仮想化は、多くの場合リソース仮想化と組み合わされる、プラットフォーム仮想化を伴う。ネットワーク仮想化は、外部（多数のネットワークやその一部を組み合わせて仮想化ユニットを実現）か、内部（ネットワーク的機能を単一システム上のソフトウェアコンテナに与える）かに分類される。なお、ネットワーク仮想化により得られた仮想化エンティティは、プロセッサ１５２または１７５やメモリ１５５および１７１等のハードウェアによりある程度実現されているのが現状であり、技術的効果を創出している。
【００２１】
コンピュータ可読メモリ１２５、１５５、１７１は、ローカルな技術的環境に適した任意の種類であってもよく、半導体型メモリデバイス、フラッシュメモリ、磁気メモリデバイスおよびシステム、光学メモリデバイスおよびシステム、固定式メモリ、着脱式メモリ等、任意の適切なデータ記憶技術により実現されてもよい。コンピュータ可読メモリ１２５、１５５、１７１は、記憶機能を実施する手段であってもよい。プロセッサ１２０、１５２、１７５は、ローカルな技術的環境に適した任意の種類であってもよく、汎用コンピュータ、専用コンピュータ、マイクロプロセッサ、デジタル信号プロセッサ（Digital Signal Processor：ＤＳＰ）、マルチコアのプロセッサアーキテクチャに基づくプロセッサを含んでもよいが、これらはあくまで非限定的な例である。プロセッサ１２０、１５２、１７５は、ＵＥ１１０、ｅＮＢ１７０を制御する機能や本明細書に記載のその他機能等の機能を実施する手段であってもよい。
【００２２】
概して、各種実施形態に係るユーザ機器１１０は、スマートフォンのような携帯電話、タブレット、無線通信機能付き携帯情報端末（ＰＤＡ）、無線通信機能付きポータブルコンピュータ、デジタルカメラ等の無線通信機能付き撮像装置、無線通信機能付きゲーム機、無線通信機能付き音楽記憶／再生機器、無線インターネットアクセスおよびブラウジングが可能なインターネット機器、無線通信機能付きタブレット、これらの機能の組合せを含むポータブルユニットまたは端末を含んでもよいが、これらに限定されるものではない。
【００２３】
本明細書に記載された例示的実施形態は、各特定のＳＲＳ切替え（例えば、ＤＬのみのＳセルでのＳＲＳ伝送）に対する基地局の設定に対応するための、ＵＥのＳＲＳ切替え能力の標示を含めるための手法を提供する。
【００２４】
一般的に、キャリアアグリゲーション（ＣＡ）には、ユーザ機器がより複雑であることから、ＵＬキャリアよりも多くのＤＬキャリアを伴っている。例えば、ユーザ機器は、ＰＡを備えるより多くの送信機チェーンを有する。現行の３ＧＰＰ仕様では、ＳＲＳは設定されたＵＬキャリアのみで送信可能である。したがって、対となるＵＬキャリアがないＤＬキャリアでは、ＳＲＳの利点（ＵＬとＤＬの間のチャネル相互依存性に基づくＣＳＩ）が得られない。ＴＤＤにおいては、ＣＡが最大３２コンポーネントキャリアを占める場合があり、事態はさらに複雑である。ＴＤＤ  ＤＬキャリア間の高速なＳＲＳキャリア切替えを可能とすれば、ＤＬビームフォーミング性能が向上しうる。
【００２５】
本明細書において、「コンポーネントキャリア」という用語は、ユーザ機器がサービングセル（例えばＰセルまたはＳセル）を有するキャリアを説明するものとして使用されている。
【００２６】
「ＬＴＥ用のＳＲＳキャリアに基づく切替え」についての作業項目が、最近承認された［具体的には、ファーウェイ（ハイシリコン）による文書ＲＰ−１６０６７６、「新たなＷＩ提案：ＬＴＥ用のＳＲＳキャリアに基づく切替え（New WI proposal: SRS Carrier Based Switching for LTE）」（３ＧＰＰ  ＴＳＧ  ＲＡＮ第７１回会合、スウェーデン、ヨーテボリ、２０１６年３月７日〜１０日）を参照されたい］。当該作業項目の目的の一つは、ＵＥにＰＵＳＣＨ伝送用に設定されたコンポーネントキャリアよりも多くのコンポーネントキャリアでの（ＵＥ  ＵＬ  ＣＡ性能を超える）ＳＲＳ送信を実現しやすくすることである。これは、ＴＤＤチャネル相互依存性を許容し、ＤＬのみのコンポーネントキャリアのＤＬ伝送にビームフォーミングが使用できるようにするためである。ＳＲＳ伝送はＵＥ  ＵＬ  ＣＡ性能を超えるものであるため、ＵＬ用キャリア（ＰＵＳＣＨ設定済み）と、ＳＲＳキャリア（ＰＵＳＣＨ未設定）との間でいかにＲＦチェーンを切り替えるかを決定する必要がある。このようなＳＲＳ切替えを可能にするには、切替え元キャリアと切替え先キャリアとを決定することが課題となる。例えば、ＵＥが２つのＴＸチェーンを有し、ＰセルおよびＵＬを含むＳセル１用に設定されているとする。その場合、ＵＥがＳＲＳ伝送のためにＳセル２（ＤＬのみのＳセル）に対するＴＸチェーンのうちの１つを切り替える必要があれば、どちらのＴＸチェーンが使用されるかを決定しなければならない。
【００２７】
現状、特定の切替えに対してどのＴＸチェーンを優先して使用するかを示すルールを定義するために１つの提案がなされている。これは、異なるＴＸチェーンを使用することによる異なる切替え／中断時間に主に基づくものである（エリクソンによる文書Ｒ１−１６２７６９、「ＳＲＳキャリアに基づく切替えの一般的動作について（On General Operation of SRS Carrier Based Switching）」（３ＧＰＰ  ＴＳＧ−ＲＡＮ  ＷＧ１第８４−２回会合、韓国、釜山、２０１６年４月１１日〜１５日）を参照）。さらに、ｅＮＢ設定／標示に選択を任せるという提案もなされている（ファーウェイ（ハイシリコン）による文書Ｒ１−１６２５８６、「ＳＲＳキャリアに基づく切替えに対応するための仕様影響（Specification Impacts to Support SRS Carrier based Switching）」（３ＧＰＰ  ＴＳＧ−ＲＡＮ  ＷＧ１第８４−２回会合、韓国、釜山、２０１６年４月１１日〜１５日）を参照）。
【００２８】
上記いずれも提案でも、ＵＥの構成によっては、１つのＴＸチェーンでは全周波数範囲を網羅できない可能性があり、そのような制約により特定のＳＲＳ切替えについてどのチェーンがＵＥとｅＮＢとの間で使用されるかが不確定となり、あるいはｅＮＢ標示が無効となり、ＵＥ  ＴＸチェーン性能を害しうることを考慮していない。
【００２９】
例示的実施形態では、以下の３つのステップを実施してもよい。
１．ｅＮＢが、ＵＥに自身のＳＲＳ切替え能力を報告するように要求する。例えばｅＮＢは、ＵＥがＳＲＳを送信すると想定されるＳセル（セカンダリセル）のリストを含むリクエストメッセージをＵＥに送信することで、ＵＥに自身のＳＲＳ切替え能力を報告するように要求してもよい。Ｓセルのリストは、ＵＥが切替先としてＳＲＳを送信する可能性のあるセルを含むため、「切替先セル」とも称されうる。
２．ＵＥが、自身の切替え能力を、ＲＲＣシグナリングを通じてｅＮＢに報告する。
３．ｅＮＢは、受信したＵＥ性能に応じて、ＲＲＣシグナリングを通じて、各ＤＬのみのＳセルについてのＳＲＳ伝送の設定を示す。ＳＲＳ設定は、周期的および／または非周期的なＳＲＳトリガリングのための共通ＳＲＳ設定および専用ＳＲＳ設定を含んでもよい。例えば、共通設定はセル内のすべてのＵＥに適用されるセル特有のパラメータを含み、専用設定は特定のＵＥにのみ適用されるＵＥに特有のパラメータを含む。ＳＲＳ設定は、例えばＳＲＳ伝送のための時間／周波数リソース、電力制御パラメータ、タイミング制御パラメータを含んでもよい。
【００３０】
例示的実施形態では、ＵＥは自身のＳＲＳ切替え能力を、Ｓセル単位で報告できる。例えば、メッセージの受信に応じて、ＵＥは自身のＳＲＳ切替え能力についてのフィードバックをリクエストメッセージ内の各Ｓセルに対して提供する。フィードバックはＵＥのＲＦ構成に基づいてもよく、切替え元キャリアと切替え先キャリアとの間のタイミングの差に基づいてもよい。様々なＵＥのＲＦ構成の非限定的な例として、単一のＴＸ／ＲＸチェーン、２つ以上のＴＸ／ＲＸチェーン、または２つのＲｘチェーンと単一のＴＸチェーンが挙げられる。ＲＦの構成はさらに、ＲＦチェーンとＲＦチップセットとの間の関連性を含んでもよい。例えば、いくつかの構成では、すべてのＲＦチェーンが単一のＲＦチップセットに関連付けられてもよいし、別の構成では、各ＲＦチェーンが自身のＲＦチップセットを有してもよい。
【００３１】
ＵＥのＳＲＳ切替え能力フィードバックは、以下のパラメータを含んでもよいが、これらに限定されない。
・所与のＳセルへの切替えが可能か否か
・所与のＳセルへの切替えが可能である場合、各設定サービングセルについて、当該サービングセルが認識するＵＬおよびＤＬそれぞれの中断時間（切替え時間およびＳＲＳ伝送時間を含む）
【００３２】
この実施形態では、ユーザ機器が自身のＲＦ構成や自身のサービングセル間のタイミング関係を最もよく把握しているため、あらゆる特定のＳＲＳ切替えにおけるＴＸチェーンの選択をユーザ機器が実行してもよい。
【００３３】
別の実施形態では、ＵＥは、例えばＳＲＳ切替えセルグループのようなグループ単位で、自身のＳＲＳ切替え能力を報告してもよい。このフィードバックには、１つ以上のＳＲＳ切替えセルグループおよび各グループ内のセル（例えば、ＣＣ１、ＣＣ２、…を含むグループ１）や、各グループの帯域（帯域１、帯域２、…を含むグループ１）を含んでもよい。例えばフィードバックは、同じＲＦ  ＴＸチェーン内のセルまたは対応帯域や、同じグループにおけるＳセル間の切替えが、異なるグループでのＳセル間の切替えよりも中断時間が長いことを示す標示を含んでもよい。報告されたＳＲＳ切替えセルグループが帯域単位であれば、帯域内の対応するセルが、同じＳＲＳ切替えセルグループ内にあってもよい。少なくともＴＸチェーン性能（例えば、グループ１からのＴＸチェーン１が対応するセル、グループ２からのＴＸチェーン２が対応するセル等）に応じてグループ分けされてもよい。したがって、ＳＲＳ切替えセルグループの数は、例えばＵＥのＲＦ  ＴＸチェーンの数により決定されてもよい。なお、単一のグループ内での切替えと、グループ間での切替えとで、サービングセルに対する影響が異なることを前提に、その他のグループ分け基準をＵＥ構成に応じて使用してもよい。
【００３４】
設定されたダウンリンクＳセル（複数可）が、いずれのＳＲＳ切替えセルグループにも属さない場合、ｅＮＢはＵＥが関連するＳセル（複数可）に対するＳＲＳ切替えに対応していないと仮定できる。ＳＲＳ切替えセルグループによるフィードバックは、ＳＲＳ性能リクエストに対する応答等のＲＲＣシグナリングにより送られる。
【００３５】
図２Ａ、２Ｂを参照する。図２Ａは、図１のＵＥ１１０であってもよいユーザ機器２００のデュアルバンド受信機２０６の一例を示す。ユーザ機器２００は２つのＲＦチェーン２０２、２０４を有する。図２Ｂは、各ＲＦチェーン２０２、２０４用に設定されたＤＬ／ＵＬセルを示す表である。図２Ｂの表に示すように、ＳＲＳ切替えグループ１がＲＦチェーン２０２に対して定義されており、ＣＣ１、ＣＣ２、ＣＣ３がＤＬセルに設定され、ＣＣ１がＵＬセルに設定されている。また、ＳＲＳ切替えグループ２がＲＦチェーン２０４に対して定義されており、ＣＣ４、ＣＣ５がＤＬセルに設定され、ＣＣ２がＵＬセルに設定されている。
【００３６】
図２に示すように、ユーザ機器２００は、ＲＦチェーン２０４における電力増幅器（ＰＡ）を有しておらず、非ＵＬ  ＣＡ可能ＵＥとなる。したがって、ユーザ機器２００はＳＲＳ切替えグループ２における設定されたダウンリンクセル（すなわち、ＣＣ４およびＣＣ５）に対応するサウンディング参照信号を送信できない。ユーザ機器２００はＲＦチェーン１にＰＡを有するため、例えばＣＣ１、ＣＣ２、ＣＣ３のような、ＲＦチェーン２０２用に設定されたセルを切替先／切替元とできる。上述のように、ユーザ機器はＳＲＳ切替えセルグループをｅＮＢに報告してもよく、これによりｅＮＢが、ＵＥが対応しているＳＲＳ切替えグループを把握できる。ＵＥが複数のＳＲＳ切替えセルグループに対応していることを報告した場合、ｅＮＢはＵＥのＳＲＳ伝送を異なるＳＲＳ切替えグループのセル間で異なるようにトリガできる。なお、同じセルグループでＳＲＳ切替えを行う方が通常は中断時間が長い。
【００３７】
図３は、ＵＥにより報告されるＳＲＳの切替え能力に関する論理フロー図を示す。この図は、例示的方法の動作、コンピュータ可読メモリに実装されたコンピュータプログラム命令の実行結果、ハードウェアで実現されるロジックによって実施される機能、および／または例示的実施形態に係る機能を実施するための相互接続手段をさらに示す。例えば、ＳＲＳ制御モジュール１４０は、図３のブロックのうちの複数のブロックを含んでもよく、その各ブロックが当該ブロックの機能を実施する相互接続手段である。図３のブロックは、例えば少なくとも部分的にＳＲＳ制御モジュール１４０の制御下で、ＵＥ１１０により実施されるものとする。
【００３８】
図３を参照すると、一例としての方法は、基地局から、ユーザ機器のサウンディング参照信号（ＳＲＳ）切替え能力に関するリクエストであって、前記ユーザ機器によってＳＲＳ伝送用に使用可能なセルのリストを含んでもよいリクエストを受信すること（３０２）と、前記使用可能なセルのリストに基づいて前記ユーザ機器の前記ＳＲＳ切替え能力を判定すること（３０４）と、前記基地局へと、前記ユーザ機器の前記ＳＲＳ切替え能力の標示を送信すること（３０６）と、を含む。
【００３９】
前記ＳＲＳ切替え能力の前記標示は、リスト内の各セルに対するＳＲＳ切替え能力情報を含んでもよい。このＳＲＳ切替え能力情報は、ユーザ機器がリスト内の所与のセルに対する切替えが可能かを示す少なくとも１つのパラメータを含んでもよい。前記ＳＲＳ切替え能力情報は、リスト内の各セルについて、ユーザ機器の各サービングセルに関するアップリンク伝送の中断時間と、ダウンリンク受信の中断時間を含んでもよい。この中断時間は、少なくともリスト内の所与のセルに対する切替え時間およびＳＲＳ伝送時間と、リスト内の所与のセルと各サービングセルとのダウンリンクタイミングの差とを含んでもよい。前記ＳＲＳ切替え能力の前記標示は、リストからの複数のセルのうちの、ユーザ機器がＳＲＳ切替え用に対応可能な少なくとも１つのグループと、該少なくとも１つのグループの各セルまたは該少なくとも１つのグループにおける各帯域の識別子とを含んでもよい。前記ＳＲＳ切替え能力の前記標示は、第１グループのセルと、第２グループのセルとを含んでもよい。ここで、第１グループにおけるセル間のＳＲＳ切替えが、第１グループのセルと第２グループのセルとの間のＳＲＳ切替えよりも、前記ユーザ機器のサービングセルに対する影響が大きくてもよい（例えば中断時間がより長くなる）。この方法はさらに、前記ユーザ機器の前記ＳＲＳ切替え能力に応じて、リスト内の各セルについてＳＲＳ伝送設定を受信することと、受信した前記ＳＲＳ伝送設定に応じてサウンディング参照信号を送信することとを含んでもよい。
【００４０】
一例としての実施形態は、装置として実現されてもよく、該装置は、少なくとも１つのプロセッサと、コンピュータプログラムコードを含む少なくとも１つの非一時的メモリと、を含み、前記少なくとも１つのメモリおよび前記コンピュータプログラムコードは、前記少なくとも１つのプロセッサによって、基地局から、ユーザ機器のサウンディング参照信号（ＳＲＳ）切替え能力に関するリクエストであって、前記ユーザ機器によってＳＲＳ伝送用に使用可能なセルのリストを含んでもよいリクエストを受信することと、前記使用可能なセルのリストに基づいて前記ユーザ機器の前記ＳＲＳ切替え能力を判定することと、前記基地局へと、前記ユーザ機器の前記ＳＲＳ切替え能力の標示を送信することと、を前記装置に実施させるように構成される。
【００４１】
前記ＳＲＳ切替え能力の前記標示は、リスト内の各セルに対するＳＲＳ切替え能力情報を含んでもよい。このＳＲＳ切替え能力情報は、ユーザ機器がリスト内の所与のセルに対する切替えが可能かを示す少なくとも１つのパラメータを含んでもよい。前記ＳＲＳ切替え能力情報は、リスト内の各セルについて、ユーザ機器の各サービングセルに関するアップリンク伝送の中断時間と、ダウンリンク受信の中断時間を含んでもよい。この中断時間は、少なくともリスト内の所与のセルに対する切替え時間およびＳＲＳ伝送時間と、リスト内の所与のセルと各サービングセルとのダウンリンクタイミングの差とを含んでもよい。前記ＳＲＳ切替え能力の前記標示は、リストからの複数のセルのうちの、ユーザ機器がＳＲＳ切替え用に対応可能な少なくとも１つのグループと、該少なくとも１つのグループの各セルまたは該少なくとも１つのグループにおける各帯域の識別子とを含んでもよい。前記ＳＲＳ切替え能力の前記標示は、第１グループのセルと、第２グループのセルとを含んでもよい。ここで、第１グループにおけるセル間のＳＲＳ切替えが、第１グループのセルと第２グループのセルとの間のＳＲＳ切替えよりも、前記ユーザ機器のサービングセルに対する影響が大きくてもよい（例えば中断時間がより長くなる）。前記少なくとも１つのメモリおよび前記コンピュータプログラムコードは、前記少なくとも１つのプロセッサによって、さらに、前記ユーザ機器の前記ＳＲＳ切替え能力に応じて、リスト内の各セルについてＳＲＳ伝送設定を受信することと、受信した前記ＳＲＳ伝送設定に応じてサウンディング参照信号を送信することと、を装置に実施させるように構成されてもよい。
【００４２】
一例としての実施形態は、非一時的プログラム記憶デバイスとして実現されてもよく、その例として例えば図１に示す、機械によって可読で、動作を実施するためにこの機械によって実行可能な命令のプログラムを具体的に実施するメモリ１２５が挙げられる。前記動作は、基地局から、ユーザ機器のサウンディング参照信号（ＳＲＳ）切替え能力に関するリクエストであって、前記ユーザ機器によってＳＲＳ伝送用に使用可能なセルのリストを含んでもよいリクエストを受信することと、前記使用可能なセルのリストに基づいて前記ユーザ機器の前記ＳＲＳ切替え能力を判定することと、前記基地局へと、前記ユーザ機器の前記ＳＲＳ切替え能力の標示を送信することと、を含む。
【００４３】
図４は、ＵＥにより報告されるＳＲＳ切替え能力に関する論理フローチャートである。この図により、例示的方法の動作、コンピュータ可読メモリに実装されたコンピュータプログラム命令の実行結果、ハードウェアで実現されるロジックによって実施される機能、および／または例示的実施形態に係る機能を実施するための相互接続手段が示される。例えば、ＳＲＳ設定モジュール１５０は、図４のブロックのうちの複数のブロックを含んでもよく、その各ブロックが当該ブロックの機能を実施するための相互接続手段である。図４のブロックは、例えば少なくとも部分的にＳＲＳ設定モジュール１５０の制御下で、ｅＮＢ１７０等の基地局により実施されるものとする。
【００４４】
図４を参照すると、一例としての方法は、基地局によって、ユーザ機器のサウンディング参照信号（ＳＲＳ）切替え能力に関するリクエストであって、前記ユーザ機器によってＳＲＳ伝送用に使用可能なセルのリストを含んでもよいリクエストを送信すること（４０２）と、前記リクエストに応じて、前記セルのリストに対する前記ユーザ機器の前記ＳＲＳ切替え能力の標示を受信すること（４０４）と、少なくとも前記ユーザ機器の前記ＳＲＳ切替え能力に基づいて、前記ユーザ機器へと、伝送リソースの標示を含むＳＲＳ伝送の設定を送信すること（４０６）と、を含んでもよい。
【００４５】
前記ＳＲＳ切替え能力の前記標示は、リスト内の各セルに対するＳＲＳ切替え能力情報を含んでもよい。このＳＲＳ切替え能力情報は、ユーザ機器がリスト内の所与のセルに対する切替えが可能かを示す少なくとも１つのパラメータを含んでもよい。前記ＳＲＳ切替え能力情報は、リスト内の各セルについて、ユーザ機器の各サービングセルに関するアップリンク伝送の中断時間と、ダウンリンク受信の中断時間を含んでもよい。この中断時間は、少なくともリスト内の所与のセルに対する切替え時間およびＳＲＳ伝送時間と、リスト内の所与のセルと各サービングセルとのダウンリンクタイミングの差とを含んでもよい。前記ＳＲＳ切替え能力の前記標示は、リストからの複数のセルのうちの、ユーザ機器がＳＲＳ切替え用に対応可能な少なくとも１つのグループと、該少なくとも１つのグループの各セルまたは該少なくとも１つのグループにおける各帯域の識別子とを含んでもよい。前記標示は、第１グループのセルと、第２グループのセルとを含んでもよい。ここで、第１グループにおけるセル間のＳＲＳ切替えが、第１グループのセルと第２グループのセルとの間のＳＲＳ切替えよりも、前記ユーザ機器のサービングセルに対する影響が大きくてもよい（例えば中断時間がより長くなる）。
【００４６】
一例としての実施形態は、装置として実現されてもよく、該装置は、少なくとも１つのプロセッサと、コンピュータプログラムを含む少なくとも１つの非一時的メモリと、を含み、前記少なくとも１つのメモリおよび前記コンピュータプログラムコードは、前記少なくとも１つのプロセッサによって、基地局によって、ユーザ機器のサウンディング参照信号（ＳＲＳ）切替え能力に関するリクエストであって、前記ユーザ機器によってＳＲＳ伝送用に使用可能なセルのリストを含んでもよいリクエストを送信することと、前記リクエストに応じて、前記セルのリストに対する前記ユーザ機器の前記ＳＲＳ切替え能力の標示を受信することと、少なくとも前記ユーザ機器の前記ＳＲＳ切替え能力に基づいて、ユーザ機器へと、伝送リソースの標示を含むＳＲＳ伝送の設定を送信することと、を前記装置に実施させるように構成される。
【００４７】
前記ＳＲＳ切替え能力の前記標示は、前記リスト内の各セルに対するＳＲＳ切替え能力情報を含んでもよい。このＳＲＳ切替え能力情報は、ユーザ機器がリスト内の所与のセルに対する切替えが可能かを示す少なくとも１つのパラメータを含んでもよい。前記ＳＲＳ切替え能力情報は、リスト内の各セルについて、ユーザ機器の各サービングセルに関するアップリンク伝送の中断時間と、ダウンリンク受信の中断時間を含んでもよい。この中断時間は、少なくともリスト内の所与のセルに対する切替え時間およびＳＲＳ伝送時間と、リスト内の所与のセルと各サービングセルとのダウンリンクタイミングの差とを含んでもよい。前記ＳＲＳ切替え能力の前記標示は、リストからの複数のセルのうちの、ユーザ機器がＳＲＳ切替え用に対応可能な少なくとも１つのグループと、該少なくとも１つのグループの各セルまたは該少なくとも１つのグループにおける各帯域の識別子とを含んでもよい。前記標示は、第１グループのセルと、第２グループのセルとを含んでもよい。ここで、第１グループにおけるセル間のＳＲＳ切替えが、第１グループのセルと第２グループのセルとの間のＳＲＳ切替えよりも、前記ユーザ機器のサービングセルに対する影響が大きくてもよい（例えば中断時間がより長くなる）。
【００４８】
一例としての実施形態は、非一時的プログラム記憶デバイスとして実現されてもよく、その例として例えば図１に示す、機械によって可読で、動作を実施するためにこの機械によって実行可能な命令のプログラムを具体的に実施するメモリ１５５が挙げられる。前記動作は、基地局によって、ユーザ機器のサウンディング参照信号（ＳＲＳ）切替え能力に関するリクエストであって、前記ユーザ機器によってＳＲＳ伝送用に使用可能なセルのリストを含んでもよいリクエストを送信することと、前記リクエストに応じて、前記セルのリストに対する前記ユーザ機器の前記ＳＲＳ切替え能力の標示を受信することと、少なくとも前記ユーザ機器の前記ＳＲＳ切替え能力に基づいて、ユーザ機器へと、伝送リソースの標示を含むＳＲＳ伝送の設定を送信すること、を含む。
【００４９】
本明細書に記載された実施形態では、ｅＮＢに、各サービングセルに対する中断に関する情報やＵＥのＳＲＳ切替え能力についての情報が与えられるため、（ＵＥ独特の構成によく見られるような）ＴＸチェーンレベル設定または優先化が不要となる。これにより、ｅＮＢは、ＵＥ性能報告に基づいて、ＳＲＳ伝送サブフレーム／シンボルについての理想的な設定が可能となり、これによって切替えに伴う中断を最小にとどめることができる。
【００５０】
本明細書に記載の実施形態は、ソフトウェア（１つ以上のプロセッサにより実行される）、ハードウェア（例えば、特定用途向け集積回路）、またはソフトウェアとハードウェアの組合せにおいて実施されてもよい。一例としての実施形態では、このソフトウェア（例えば、アプリケーション・ロジック、命令セット）は、従来型の各種コンピュータ可読媒体のいずれかに保持される。本明細書の文脈において、「コンピュータ可読媒体」は、命令実行システム、装置、またはコンピュータ等のデバイス（一例として、例えば、図１を参照して説明されたようなコンピュータが挙げられる）によって、またはこれと関連して用いられる命令を包含し、記憶し、通信し、伝搬し、または送信することができる任意の媒体または手段であってもよい。コンピュータ可読媒体は、命令実行システム、装置、またはコンピュータ等のデバイスによって、またはこれと関連して用いられる命令を包含し、記憶し、および／または送信することができる任意の媒体または手段でありうるコンピュータ可読記憶媒体（例えば、メモリ１２５、１５５、１７１、またはその他のデバイス）を備えてもよい。コンピュータ可読記憶媒体には、伝搬信号は含まれない。
【００５１】
必要に応じて、本明細書に記載された各機能は、記載されたのとは異なる順序でおよび／または互いに同時に実施することも可能である。さらに必要に応じて、上述の機能の１つ以上は任意選択であり、または組み合わされてもよい。
【００５２】
本発明の各種態様は独立請求項に規定されているが、本発明の別の態様には、記載された実施形態および／または従属請求項の特徴と独立請求項の特徴との異なる組合せも含まれ、これは請求項に明示的に示された組合せのみには限定されない。
【００５３】
本発明の一例としての実施形態を上述したが、これらの記載は限定的に解釈されるべきではない。むしろ、添付の特許請求の範囲に定義された本発明の範囲を逸脱することなく、様々な変更や変形が可能である。
【００５４】
本明細書や図面に用いられる可能性のある略語を、以下のとおり定義する。
ＤＬ    ダウンリンク
ＣＡ    キャリアアグリゲーション
ＣＣ    コンポーネントキャリア
ＣＳＩ    チャネル状態情報（Channel State Information）
ｅＮＢ（またはｅノードＢ）    進化ノードＢ（例えば、ＬＴＥ基地局）
Ｉ／Ｆ    インタフェース
ＬＴＥ    ロング・ターム・エボリューション
ＭＭＥ    モビリティ・マネジメント・エンティティ
ＮＣＥ    ネットワーク制御要素（Network Control Element）
Ｎ／Ｗ    ネットワーク
ＰＡ    電力増幅器
Ｐセル    プライマリセル
ＰＲＡＣＨ    物理ランダムアクセスチャネル
ＰＵＣＣＨ    物理アップリンク制御チャネル
ＰＵＳＣＨ    物理アップリンク共有チャネル
ＲＲＣ    無線リソース制御（Radio Resource Control）
ＲＲＨ    リモートラジオヘッド
Ｒｘ    受信機
Ｓセル    セカンダリセル
ＳＧＷ    サービングゲートウェイ
ＳＲＳ    サウンディング参照信号（Sounding Reference Signal）
Ｔｘ    送信機
ＵＥ    ユーザ機器（User Equipment）（例えば、無線、典型的にはモバイルデバイス）
ＵＬ    アップリンク
【図１】
2019514263.tif 000003
【図２Ａ】
2019514263.tif 000004
【図２Ｂ】
2019514263.tif 000005
【図３】
2019514263.tif 000006
【図４】
2019514263.tif 000007
【国際調査報告】
2019514263.tif 000008
2019514263.tif 000009
2019514263.tif 000010
2019514263.tif 000011